(57)【要約】【課題】  多種の薬を併用することが多い高齢者にとって、どの薬を何時何個飲むのか、保管管理は厄介で、飲み忘れ・飲み間違いも日常茶飯事である。又、ＰＴＰ包装錠剤シートから一個一個の錠剤を取り出すのも簡単ではない。  錠剤押し出しケース付き薬箱を提供する。【解決手段】  薬箱において、内部に抽き出しとその上に段棚を設けた収納空間を備え、外部側壁の一面が斜め上向きの斜面になってケース設置部を成し、そこに錠剤押し出しケースが取り外し式に装着され、錠剤シート装着部に装着された錠剤シートの封入房にプッシュ・ロッドを当てがい錠剤を押し出し、錠剤送り出しシートの上から錠剤取り出し部に移動した錠剤はレバー操作で確実に受け盆に取り出されることを特徴とする錠剤取り出しケース付き薬箱。【選択図】図１
2017170098.tif 000002
【特許請求の範囲】
【請求項１】
大きくは、薬箱本体と、薬箱本体に取り外し式に装着して使用される錠剤押し出しケースと、錠剤押し出しケースに錠剤シートを装着する際に用いる装着補助シートと、錠剤押し出しケースに装着された錠剤シートの一個一個の錠剤の封入房にあてがい、錠剤を封入房から押し出すために用いる付属的用具即ちプッシュ・ロッドとから成るのであるが、薬箱本体は略直方体状の箱体であって、下端域が抽き出し部を成し、四方側面の一面が斜め上方に傾斜し、この斜面に縦長の錠剤押し出しケースが２つ・もしくは複数並列して設置されるケース設置部が設けられてこれを正面側とし、背面側において、左右縦縁沿いに引き戸溝を備え、溝の内側に隣接平行して薄細鉄板を設けてあり、引き戸溝に嵌合される蓋板・即ち縦蓋の内側下端・左右の薄細鉄板に対面する位置に、磁石片を埋設してあり、上下引き戸式に開閉されるこの縦蓋は、上下の任意の位置で自由に止まった状態が保持され、上部が山形に箱体天井面を少し突き出て摘まみやすく形成されて摘み部を成し、摘み部を摘まんで縦蓋を上に引き開ければ、中に複数段の収納段棚が設けてあり、ここに薬と処方箋等の書類が整然と保管され、服用の間違いや飲み忘れ等を予防するというものであり、ケース設置部は、斜面の左右端辺沿いに、左右対向的に形成された鍔レールを設け、その中間に平行的に、左右背中合わせに形成された鍔レールが設けられており、ここに錠剤押し出しケースの鍔溝レールが嵌まり合う形で装着されることになり、斜面下端辺に沿って鍔レール下端を橋渡しする形で、錠剤押し出しケースが下方に抜け落ちないようにストッパー枠を設けてあり、錠剤押し出しケースは四角い長方形型箱体であり、四方側面の内、一方面が背板を成し、背板と左右それぞれの側面板との間に、縦縁沿いの同様な溝がそれぞれ設けられて鍔溝レールが形成され、ケース設置部の鍔レールに対応する部位を成し、背板の反対方面即ち正面側において、上端部域のみが閉じられて中空状の表示部を成し、その下方域は開口面を成すが、下端部域は開閉蓋式の錠剤取り出し部を成し、表示部と錠剤取り出し部の中間部域全体が錠剤シート装着部を成すのであり、以下、錠剤押し出しケースの各部位について順に説明するのであるが、表示部は、正面側に透明材質のシート体の一辺を固着して、ここに服用タイミングや服用数等を書いたメモや表等をシート体の下に挟み置くことになるのであって、表示部から下方に続く錠剤シート装着部は、下端部・即ち錠剤取り出し部との境界側の小幅域に、開口面縁を成す左右の長手辺に直交的に橋渡し、表示部面と同じ高さになる形で枠・即ち取り付け枠を設けてあって、この取り付け枠と表示部面の端に渡し載せる様に、開口面の左右長手辺沿いに縁枠の様にバインダー部を備え、バインダー部は、表示部面より数ｍｍの間隔を持って・即ち錠剤の厚み相当程高い位置になる様に、形設されており、この左右バインダー部に装着補助シートを介して錠剤シートを装着した時、錠剤シートを下から支え保持する役割の保持軸を左右のバインダー部に挟まれた中間に平行的に・バインダー部と同じ高さ・即ち錠剤の厚み相当の厚みを有して格子状に設けてあって、上端部域の表示部内において、開口面へ連なる境界域に、表示部側と背板側の内壁面の双方に平行な中空に、短手方向に棒軸・即ちシート押さえ軸を設けてあり、下端部域において、取り付け枠によって一旦遮られた開口面が再度現れて開口面の終端域を成すが、この開口面終端域を挟んで・取り付け枠と平行に対向する形で回転軸胴部が設けられ、それと一体的に左右に錠剤押し出しケース側面板壁を貫通して外に突き出た軸端部の一方側にレバーを固定的に設けてあって、正面側へ開口した錠剤押し出しケースの内底面に沿って非固定的に敷き置く形で、一枚のシート体・即ち錠剤送り出しシートを設けてあるが、錠剤送り出しシートの一端は、表示部域の内部にあるシート押さえ軸と背板側内面の間をくぐってシート押さえ軸を非接着的に半巻きする様に湾曲しており、他端は回転軸胴部に乗り上げる形で接着固定され、その末端部は回転軸胴部から離れる方向にやんわりと反り上がり湾曲しており、回転軸胴部の、錠剤送り出しシートとの結合部の反対側に一端縁を固定的に結合した蓋・即ち取り出し部蓋を設け、取り出し部蓋の内側・即ち回転軸胴部側の面の三方の縁沿いに、取り出された裸の錠剤がこぼれ落ちないように、数ｍｍ高さの立ち上がり部即ち外周リブを有する受け盆が形成されているのであって、ここにおける取り出し部蓋と、錠剤送り出しシートが結合された回転軸胴部とは、レバーと一体同時的に回転して開閉する錠剤取り出し部を成しており、錠剤シートから押し出されて錠剤送り出しシートの上に落ちてきた錠剤は、シート面を転がってシート先端部・即ち回転軸胴部に突き当たって止まり、レバーを回すと取り出し部蓋が開きながら回転軸胴部の回転に伴って錠剤送り出しシート先端付近が回転軸胴部の上に乗り上げるようにせり上がり、その上を転がりながら錠剤は受け盆の上にポロリと落ち着くのであり、これら一連の動作中において、錠剤送り出しシートの他端・即ち表示部内のシート押さえ軸側の末端域は、レバー開閉する錠剤取り出し部の動きによって、シート押さえ軸の下の隙間に在って、表示部内空間を同時的に自由に行きつ戻りつ摺動しているので、錠剤送り出しシートの面がよじれたりシワシワに変形したりして、速やかに取り出し口に出てこないという様な心配がないのであって、装着補助シートは、錠剤押し出しケースの錠剤シート装着部において相向かい合うバインダー部間の幅サイズに相応した幅サイズで形成され、二つ折りに重ね合わされたシート間に錠剤シートを挟んで使用されるシート体であり、重ね合わされた上下のシートには、一般に病院や薬店で渡される錠剤シートにおいて、マトリクス状に配置された封入房の位置にピッタリ相応する形で、孔・即ち錠剤顕在孔が上下ピッタリ合う形で穿たれており、服用する錠剤を錠剤シートごと装着補助シートに挟むと、錠剤シート面から盛り上がった封入房が、装着補助シートの錠剤顕在孔から顔を突き出した状態になり、この状態で装着補助シートは錠剤シート装着部のバインダー部に装着されることになるのだが、付属的な用具たるプッシュ・ロッドは、数ｃｍ長さの短い円筒体を胴部とし、胴部の一端側に頭部の如く膨らみを持って手の中に納め握り易い形状で把持部を設けてあり、他端側は胴部の中から数ｍｍ長さの押し出し軸が突き出て、その先端縁は錠剤の径程の傘状を成し、この先端縁に圧接する形で押し出し軸の外側を巻き付くようコイル状の押しバネが設置され、押しバネの先端に押し出し軸が通り抜ける中心孔を有する約２０ｍｍ径の小円盤状の取り付け盤が直交的に接合されており、取り付け盤は押しバネの伸縮と一体的摺動するのであり、取り付け盤の押し出し軸先端側の盤面には、盤面円周を縁取る形で低い土手状に押し当てガイドリブが形設してあり、使用に際しては、装着補助シートの錠剤顕在孔から盛り上がってシート面から上に突き出た錠剤の封入房が、この押し当てガイドリブの内側に当たる様に、簡単確実に探り当てがい、把持部に軽く力を加えて押しバネを下げて、押し出し軸の先端が封入房越しに錠剤を押し出すことになるのであるが、以上のように一つの全体として構成された錠剤押し出しケース付き薬箱が、通常は家庭の中で使用されるが、旅行等で家を空けて出かける様な時は、薬箱本体まで全部持ち運ぶのはあまりにも不便なので、そんな場合には、薬箱本体のケース設置部から錠剤押し出しケースを外し、家を留守する期間に服用すべき種類・分量だけの薬、装着補助シート、プッシュ・ロッドだけをひとまとめにしてバックの片隅に携帯すれば良いので、日帰りできない外出にも薬に関する心配は無用であるということを特徴とする錠剤押し出しケース付き薬箱。
【請求項２】
錠剤押し出しケースにおいて、錠剤送り出しシートを用いないで、錠剤押し出しケース内底面における錠剤取り出し部側の端域に限って、末端片に向って徐々に上る斜面状に形成された送り出し斜面部を設け、回転軸胴部において、錠剤取り出し部蓋を閉めた状態にある時、送り出し斜面部の末端縁とピッタリ接する縁を有するポケット・即ち錠剤受け取り庫を穿設してあり、これによって、錠剤押し出しケース内底面に落ちた錠剤は、速やかに転がり進んで送り出し斜面部を介して正確に錠剤受け取り庫の中に収納され、レバーを回転して取り出し部蓋を開けると錠剤受け取り庫の中からポロリと受け盆の上に落ち着くということを特徴とする請求項１における錠剤押し出しケース付き薬箱。
【発明の詳細な説明】
【技術分野】
【０００１】  本発明は、家庭で薬や処方箋等の書類を一緒に保管し、高齢者でも錠剤シートに固く封入された錠剤を簡単正確に取り出しやすい錠剤押し出しケースを備えた薬箱に関するものである。
【背景技術】
【０００２】  従来、様々な種類の薬を整序して保管する「薬箱」は様々あった。ＰＴＰ包装された錠剤シートにしっかり封入された一個一個の錠剤を取り出すには、錠剤を一個ずつ固く封入して表側に膨らんでいる封入房越しに、指で強い力を加えて中身の錠剤を裏側へ押し出すというのが、一般的なやり方であった。独立単体としての「薬箱」や「錠剤を押し出す器具」なら、それぞれいろんなタイプが知られている。
【発明の概要】
【発明が解決しようとする課題】
【０００３】  高齢者は何種類もの薬を服用していることが多く、どの薬を何時何個飲むべきか、その都度間違ったり忘れたりすることが少なくない。また、錠剤シートの一個一個の錠剤を封入したＰＴＰ包装の堅固な封入房から錠剤を取り出す作業は、健常者ならなんでもない作業であっても、指先の力が弱い高齢者にとっては非常に厄介なものである。
錠剤シートから一個ずつの錠剤を押し出すだけの器具はいろいろ知られているが、殆どはホッチキスに似た形で、針を押し出す替わりに錠剤を押し出す方法であり、指先の劣化した高齢者には力の量が過大な負担となる。薬の保管管理と錠剤の取り出し方の問題点を、一つの薬箱に整序された諸機能によって解決することが非常に有効な対策となる。
本発明は、以上の問題点を解決するためになされたものである。
【課題を解決するための手段】
【０００４】  大きくは、薬箱本体と、薬箱本体に取り外し式に装着して使用される錠剤押し出しケースと、錠剤押し出しケースに錠剤シートを装着する際に用いる装着補助シートと、錠剤押し出しケースに装着された錠剤シートの一個一個の錠剤の封入房に当てがい、錠剤を封入房から押し出すために用いる付属的用具・即ちプッシュ・ロッドとから成る。
薬箱本体は略直方体状の箱体であって、下端域が抽き出し部を成し、四方側面の一面が斜め上方に傾斜し、この斜面に縦長の錠剤押し出しケースが２つ・もしくは複数並列して設置されるケース設置部が設けられて、こちら側を正面とし、背面側において、左右縦縁沿いに引き戸溝を備え、溝の内側に隣接平行して薄細鉄板を設けてあり、引き戸溝に嵌合される蓋板・即ち縦蓋の内側下端・左右の薄細鉄板に対面する位置に磁石片を埋設してあり、上下引き戸式に開閉されるこの縦蓋は、上下の任意の位置で自由に止まった状態が保持され、上部が山形に箱体天井面を少し突き出て摘みやすく形成されて摘み部を成し、摘み部を摘んで縦蓋を上に引き開ければ，中に複数段の収納段棚が設けてあり、ここに薬と処方箋等の書類が整然と保管され、服用の間違いや飲み忘れ等を予防する。
ケース設置部は，斜面の左右端辺沿いに、左右対向的に形成された鍔レールを設け、その中間に平行的に、左右背中合わせに形成された鍔レールが設けられており、ここに錠剤押し出しケースの鍔溝レールが嵌り合う形で装着されることになり、斜面下端辺に沿って鍔レール下端を橋渡しする形で、錠剤押し出しケースが下方に抜け落ちないようにストッパー枠を設けてある。
錠剤押し出しケースは四角い長方形型箱体であり、四方側面の内、一方面が背板を成し、背板と左右それぞれの側面板との間に、縦縁沿いの同様な溝がそれぞれ設けられて鍔溝レールが形成され、ケース設置部の鍔レールに対応する部位を成す。背板の反対方面即ち正面側において、上端部域のみが閉じられて中空状の表示部を成し、その下方域は開口面を成すが、下端部域は開閉蓋式の錠剤取り出し部を成し、表示部と錠剤取り出し部の中間部域全体が錠剤シート装着部を成す。
以下、錠剤押し出しケースの各部位について順に説明する。
表示部は、正面側に透明材質のシート体の一辺を固着して、ここに服用タイミングや服用数等を書いたメモや表等をシート体の下に挟み置くことになる。
表示部から下方に続く錠剤シート装着部は、下端部・即ち錠剤取り出し部との境界側の小幅域に、開口面縁を成す左右の長手辺に直交的に橋渡し、表示部面と同じ高さになる形で枠・即ち取り付け枠を設けてある。
この取り付け枠と表示部面の端に渡し乗せる様に、開口面の左右長手辺沿いに縁枠の様にバインダー部を備え、バインダー部は、表示部面より数ｍｍの間隔を持って・即ち錠剤の厚み相当程高い位置になる様に、形設されており、この左右のバインダー部に装着補助シートを介して錠剤シートを装着した時、錠剤シートを下から支え保持する役割の保持軸を、左右のバインダー部に挟まれた中間に平行的に・バインダー部と同じ高さ・即ち錠剤の厚み相当の厚みを持った・格子状に設けてある。
上端部域の表示部内において、開口面へ連なる境界域に、表示部側と背板側の内壁面の双方に平行な中空に、短手方向に棒軸・即ちシート押さえ軸を設けてある。
下端部域において、取り付け枠によって一旦遮られた開口面が再度現れて開口面の終端域を成すが、この開口面終端域を挟んで・取り付け枠と平行に対向する形で回転軸胴部が設けられ、それと一体的に左右に錠剤押し出しケース側面板壁を貫通して外に突き出た軸端部の一方側にレバーを固定的に設けてある。
正面側へ開口した錠剤押し出しケースの内底面に沿って非固定的に敷き置く形で、一枚のシート体・即ち錠剤送り出しシートを設けてあるが、錠剤送り出しシートの一端は、表示部域の内部にあるシート押さえ軸と背板側内面の間をくぐってシート押さえ軸を非接着的に半巻きする様に湾曲しており、他端は回転軸胴部に乗り上げる形で接着固定され、その末端部は回転軸胴部から離れる方向にやんわりと反り上がり湾曲している。回転軸胴部の、錠剤送り出しシートとの結合部の反対側に一端縁を固定的に結合した蓋・即ち取り出し部蓋を設け、取り出し部蓋の内側・即ち回転軸胴部側の面の三方の縁沿いに、取り出された裸の錠剤がこぼれ落ちないように、数ｍｍ高さの立ち上がり部即ち外周リブを有する受け盆が形成されている。
ここにおける取出し部蓋と、錠剤送り出しシートが結合された回転軸胴部とは、レバーと一体同時的に回転して開閉する錠剤取り出し部を成しており、錠剤シートから押し出されて錠剤送り出しシートの上に落ちてきた錠剤は、シート面を転がってシート先端部・即ち回転軸胴部に突き当たって止まり、レバーを回すと取り出し部蓋が開きながら回転軸胴部の回転に伴って錠剤送り出しシート先端付近が回転軸胴部の上に乗り上げるようにせり上がり、その上を転がりながら錠剤は受け盆の上にポロリと落ち着く。これら一連の動作中において、錠剤送り出しシートの他端・即ち表示部内のシート押さえ軸側の末端域は、レバー開閉する錠剤取り出し部の動きによって、シート押さえ軸の隙間に在って、表示部内空間を同時的に自由に行きつ戻りつ摺動しているので、錠剤送り出しシートの面がよじれたりシワシワに変形したりして、速やかに取り出し口に出てこないという様な心配がない。
尚、以上に説明された錠剤押し出しケースの構造的特徴を「送り出しシート型」と呼称する。これと基本的構造を共通しつつも錠剤送り出しシートを用いない場合は、錠剤送り出しケース内低面における錠剤取り出し部側の端域に限って、末端辺に向って徐々に上る斜面状に形成された送り出し斜面部を設け、回転軸胴部において、錠剤取り出し部蓋を閉めた状態にある時、送り出し斜面部の末端縁とピッタリ接する縁を有するポケット・即ち錠剤受け取り庫を穿設してある。これによって、錠剤押し出しケース内低面に落ちた錠剤は、速やかに転がり進んで送り出し斜面部を介して正確に錠剤受け取り庫の中に収納され、レバーを回転して取り出し部蓋を開けると、錠剤受け取り庫の中から錠剤がポロリと受け盆の上に落ち着くのであり、これを「回転受け取り庫型」と呼称する。
装着補助シートは、錠剤押し出しケースの錠剤シート装着部において相向かい合うバインダー部間の幅サイズに相応した幅サイズで形成され、二つ折りに重ね合わされたシート間に錠剤シートを挟んで使用されるシート体である。重ね合わされた上下のシートには、一般に病院や薬店で渡される錠剤シートにおいて、マトリクス状に配置された封入房の位置にピッタリ相応する形で、孔・即ち錠剤顕在孔が上下ピッタリ合う形で穿たれている。服用する錠剤を錠剤シートごと装着補助シートに挟むと、錠剤シート面から盛り上がった封入房が、装着補助シートの錠剤顕在孔から顔を突き出した状態になる。この状態で装着補助シートは錠剤シート装着部のバインダー部に装着されることになる。
付属的な用具たるプッシュ・ロッドは、数ｃｍ長さの短い円筒体を胴部とし、胴部の一端側に頭部の如く膨らみを持って手の中に納め握り易い形状で把持部を設けてあり、他端側は胴部の中から数ｍｍ長さの押しだし軸が突き出て、その先端縁は錠剤の径程の傘状を成し、この先端縁に圧接する形で押し出し軸の外側を巻きつくようにコイル状の押しバネが設置され、押しバネの先端に押し出し軸が通り抜ける中心孔を有する約２０ｍｍ径の小円盤状の取り付け盤が直交的に接合されており、取り付け盤は押しバネの伸縮と一体的に摺動するのであり、取り付け盤の押し出し軸先端側の盤面には、円周を縁取る形で低い土手状に押し当てガイドリブが形設してある。使用に際して、装着補助シートの錠剤顕在孔から盛り上がってシート面から上に突き出た錠剤の封入房が、この押し当てガイドリブの内側に当たる様に、簡単確実に探り当てがい、把持部に軽く力を加えて押しバネを押し下げて、押し出し軸の先端が取り付け盤の中央から突き出て封入房越しに錠剤を押し出すことになる。
以上のように構成された一つの全体としての錠剤押し出しケース付き薬箱が、通常は家庭の中で使用されるが、旅行等で家を空けて出かけるような時は、薬箱本体まで全部持ち運ぶのはあまりにも不便なので、そんな場合には、薬箱本体のケース設置部から錠剤押し出しケースを外し、家を留守にする期間に服用すべき種類・分量だけの薬、装着補助シート、プッシュ・ロッドだけを一まとめにしてバックの片隅に携帯すれば良いので、日帰りできない外出にも薬に関する心配は無用である。
以上の構成よりなる錠剤押し出しケース付き薬箱である。
【発明の効果】
【０００５】（イ）高齢者の場合は多種類多量薬を、薬箱の抽き出しと収納段棚に、服用順・一日の飲み分け時間帯・服用個数等を表示と共に整理して保管し、更に錠剤押し出しケースの表示部にも、どの種類を何時何個飲むかを表示しておき、錠剤押し出しケースで錠剤を取り出す時にも再確認できるので、飲み忘れ、飲み間違い等の心配が大幅になくなる。
（ロ）指先の力では錠剤を押し出せない高齢者等でも、薬箱のケース設置部に設置された錠剤押し出しケースに挟み留めた錠剤シートを、プッシュ・ロッドでポンと錠剤を押し出せばよい。プッシュ・ロッドはホッチキスの様に指先で力を加えるのでなく、手の中に包み込むように握って手全体で力を加えるので、錠剤シートの堅い封入房越しにポロリと簡単に錠剤が押し出される。この時、プッシュ・ロッド先端には錠剤を押し出す押し出し軸だけでなく、その周りの取り付け盤円周縁に押し当てガイドリブがあるので、プッシュ・ロッドを錠剤シートの取り出したい錠剤の封入房に当てがうのも簡単で、押す時に横にズレたりする心配もない。
（ハ）錠剤押し出しケースが薬箱のケース設置部から自由に取り外せるので、日帰りできない外出・旅行等に際しては、それだけ取り出して持ち歩け、錠剤シート・装着補助シートとプッシュ・ロッドを一緒に携帯すれば、薬服用に関する心配も全く無用で安心である。
（ニ）抽き出しだけでなく、箱体の残りの上部ほぼ全体の内部が収納段棚の広い収納庫になっているので、多種類の薬を整然と仕分けて置け、薬箱から薬や説明書等を取り出す時、速やかに目的の物を抽出できる。また、その間、縦蓋はどの必要な高さ位置でも磁石によって自由に停止状態を保持できるので、とても便利である。
【図面の簡単な説明】
【０００６】
【図１】  本発明の外観斜視図
【図２】  本発明において、錠剤押し出しケースを外した状態を示す斜視図
【図３】  本発明において、背面の縦蓋を開けて中を見せた状態を示す斜視図
【図４】  本発明の一部である縦蓋における磁石の位置を示す斜視図
【図５】  本発明が対象とする一般的な錠剤シートの斜視図
【図６】  本発明の一部である錠剤押し出しケースの外観斜視図
【図７】  本発明の一部である錠剤押し出しケース・送り出しシート型において、取り出し部蓋を開けて錠剤取り出し部の内部構造を見せた状態を示す斜視図
【図８】  本発明の一部である錠剤押し出しケース・回転受け取り庫型において、取り出し部蓋を開けて錠剤取り出し部の内部構造を見せた状態を示す斜視図
【図９】  本発明の一部である錠剤押し出しケース・錠剤横並び３個の錠剤シートを装着する送り出しシート型の外観斜視図
【図１０】  本発明の一部であるプッシュ・ロッドの斜視図
【図１１】  本発明の一部であるプッシュ・ロッドを用いて錠剤押し出しケースから錠剤を取り出す様子を示すイメージ図
【図１２】  本発明の錠剤押し出しケース・送り出しシート型・回転受取り庫型に押し出された錠剤が落ち着いた状態を示すイメージ図
【図１３】  本発明の一部である装着補助シート・横並び２個の錠剤顕在孔小サイズを二つ折りに重ねて見せた正面図
【図１４】  本発明の一部である装着補助シート・横並び２個の錠剤顕在孔中サイズを二つ折りに重ねて見せた正面図
【図１５】  本発明の一部である装着補助シート・横並び２個の錠剤顕在孔大サイズを二つ折りに重ねて見せた正面図
【図１６】  本発明の一部である装着補助シート・横並び３個の錠剤顕在孔小サイズを二つ折りに重ねて見せた正面図
【図１７】  本発明の一部である装着補助シート・横並び３個の錠剤顕在孔中サイズを二つ折りに重ねて見せた正面図
【図１８】  本発明の一部である装着補助シート・横並び３個の錠剤顕在孔大サイズを二つ折りに重ねて見せた正面図
【図１９】  本発明の一部である錠剤押し出しケースの実施例であるミニマム型錠剤押し出しケースの斜視図
【図２０】  本発明の一部であるミニマム型錠剤押し出しケースに錠剤シートを挟んだ装着補助シートをバインダー部に留めた状態を見せたイメージ図
【発明を実施するための形態】
【０００７】  以下、本発明の実施の形態、使用法について説明する。
大きくは、図１で示すように、薬箱本体（１）と、薬箱本体（１）に取り外し式に装着して使用される錠剤押し出しケース（２）と、錠剤押し出しケース（２）に図５で示すような錠剤シート（３）を装着する際に用いる図１３〜図１８で示すような装着補助シート（４）と錠剤押し出しケース（２）に装着された錠剤シート（３）の一個一個の錠剤の封入房（５）に当てがい、錠剤（６）を封入房（５）から押し出すために用いる図１０で示すような付属的用具即ちプッシュ・ロッド（７）とから成る。
図２で示すように、薬箱本体（１）は略直方体状の箱体であって、下端域が抽き出し部（８）を成し、四方側面の一面が斜め上方に傾斜し、この斜面に縦長の錠剤押し出しケース（２）が２つ・もしくは複数並列して設置されるケース設置部（９）が設けられてこちら側を正面とし、図３で示すように、背面側において左右縦縁沿いに引き戸溝（１０）を備え、引き戸溝（１０）の内側に隣接平行して薄細鉄板（１１）を設けてあり、図４で示すように、引き戸溝（１０）に嵌合される蓋板・即ち縦蓋（１２）の内側下端・左右の薄細鉄板（１１）に対面する位置に磁石片（１３）を埋設してあり、上下引き戸式に開閉されるこの縦蓋（１２）は、上下の任意の位置で自由に止まった状態が保持され、上部が山形に箱体天井面を少し突き出て摘まみ易く形成されて摘み部（１４）を成し、摘み部（１４）を摘んで縦蓋（１２）を上に引き上げれば、中に複数段の収納段棚（１５）が設けてあり、ここに薬と処方箋等の書類が整然と保管され、服用の間違いや飲み忘れ等を予防する。
ケース設置部（９）は、図２で示すように、斜面の左右端辺沿いに、左右対向的に形成された鍔レール（１６）を設け、その中間に平行的に左右背中合わせに形成された鍔レール（１６）が設けられており、ここに錠剤押し出しケース（２）の鍔溝レール（１７）が嵌り合う形で装着されることになり、斜面下端辺に沿って鍔レール（１６）下端を橋渡しする形で、錠剤押し出しケース（２）が下方に抜け落ちないようにストッパー枠（１８）を設けてある。
図６で示すように、錠剤押し出しケース（２）は四角い長方形型箱体であり、四方側面の内、一方面が背板（１９）を成し、背板（１９）と左右それぞれの側面板（４３）との間の縦縁端沿いに同様な溝がそれぞれ設けられて鍔溝レール（１７）が形成され、ケース設置部の鍔レール（１６）に対応する部位を成す。背板（１９）の反対方面即ち正面側において、上端部域のみが閉じられて中空状の表示部（２０）を成し、その下方域は開口面を成すが、下端部域は開閉蓋式の錠剤取り出し部（２１）を成し、表示部（２０）と錠剤取り出し部（２１）の中間部域全体が錠剤シート装着部（２２）を成す。
以下、錠剤押し出しケース（２）の各部位について順に説明をする。
表示部（２０）は、正面側に透明材質のシート体の一辺を固着して、ここに服用タイミングや服用数を書いたメモや表等をシート体の下に挟み置くことになる。
表示部（２０）から下方に続く錠剤シート装着部（２２）は、下端部・即ち錠剤取り出し部（２１）との境界側の小幅域に、開口面縁を成す左右の長手辺に直交的に橋渡し、表示部（２０）面と同じ高さになる形で枠・即ち取り付け枠（２３）を設けてある。
この取り付け枠（２３）と表示部（２０）面の端に渡し乗せる様に、開口面の左右長手辺沿いに縁枠の様にバインダー部（２４）を備え、バインダー部（２４）は表示部（２０）面より数ｍｍの間隔を持って・即ち錠剤（６）の厚み相当程高い位置になる様に、形設されており、この左右のバインダー部（２４）に装着補助シート（４）を介して錠剤シート（３）を装着した時、錠剤シート（３）を下から支え保持する役割の保持軸（２５）を、左右のバインダー部（２４）に挟まれた中間に平行的に・バインダー部（２４）と同じ高さ・即ち錠剤の厚み相当の厚みを持った・格子状に設けてある。
上端部域の表示部（２０）内において、図７で示すように、開口面へ連なる境界域に、表示部（２０）側と背板（１９）側の内壁面の双方に平行な中空に、短手方向に棒軸・即ちシート押さえ軸（２６）を設けてある。
下端部域において、取り付け枠（２３）によって一旦遮られた開口面が再度現れて開口面の終端域を成すが、この開口面終端域を挟んで・取り付け枠（２３）と平行に対向する形で回転軸胴部（２７）が設けられ、それと一体的に左右に錠剤押し出しケース（２）の側面板（４３）壁を貫通して外に突き出た軸端部の一方側にレバー（２８）を固定的に設けてある。
図７で示すように、正面側へ開口した錠剤押し出しケース（２）の内底面に沿って非固定的に敷き置く形で、一枚のシート体・即ち錠剤送り出しシート（２９）を設けてあるが、錠剤送り出しシート（２９）の一端は、表示部（２０）域の内部にあるシート押さえ軸（２６）と背板（１９）側内面の間をくぐってシート押さえ軸（２６）を非接着的に半巻きにする様に湾曲しており、他端は回転軸胴部（２７）に乗り上げる形で接着固定され、その末端部は回転軸胴部（２７）から離れる方向にやんわりと反り上がり湾曲している。
回転軸胴部（２７）の、錠剤送り出しシート（２９）との結合部の反対側に一端縁を固定的に結合した蓋・即ち取り出し部蓋（３０）を設け、取り出し部蓋（３０）の内側・即ち回転軸胴部（２７）側の面の三方の縁沿いに、取り出された裸の錠剤（６）がこぼれ落ちないように、高さ数ｍｍの立ち上がり部即ち外周リブ（３１）を有する受け盆（３２）が形成されている。
ここにおける取り出し部蓋（３０）と、錠剤送り出しシート（２９）が結合された回転軸胴部（２７）とは、レバー（２８）と一体同時的に回転して開閉する錠剤取り出し部（２１）を成しており、錠剤シート（３）から押し出されて錠剤送り出しシート（２９）の上に落ちてきた錠剤（６）は、シート面を転がってシート先端部・即ち回転軸胴部（２７）上に突き当たって止まり、レバー（２８）を回すと、取り出し部蓋（３０）が開きながら回転軸胴部（２７）の回転に伴って錠剤送り出しシート（２９）先端付近が回転軸胴部（２７）の上に乗り上げるようにせり上がり、その上を転がりながら錠剤（６）は受け盆（３２）の上にポロリと落ち着く。これら一連の動作中において、錠剤送り出しシート（２９）の他端・即ち表示部（２０）内のシート押さえ軸（２６）側の末端域は、レバー（２８）開閉する錠剤取り出し部（２１）の動きによって、シート押さえ軸（２６）の下の隙間に在って、表示部（２０）内空間を同時的に自由に行きつ戻りつ摺動しているので、錠剤送り出しシート（２９）の面がよじれたりシワシワに変形したりして、速やかに取り出し口に出てこないという様な心配がない。
尚、以上に説明された錠剤押し出しケース（２）の構造的特徴を「送り出しシート型」（Ａ）と呼称する。これと基本的構造を共通しつつも錠剤送り出しシート（２９）を用いない場合は、図８で示すように、錠剤押し出しケース（２）内底面における錠剤取り出し部（２１）側の端域に限って、末端辺に向って徐々に上る斜面状に形成された送り出し斜面部（３３）を設け、回転軸胴部（２７）において、取り出し部蓋（３０）を閉めた状態にある時、送り出し斜面部（３３）の末端縁とピッタリ接する縁を有するポケット・即ち錠剤受け取り庫（３４）を穿設してある。これによって、錠剤押し出しケース（２）内低面に落ちた錠剤（６）は、速やかに転がり進んで送り出し斜面部（３３）を介して正確に錠剤受け取り庫（３４）の中に収納され、レバー（２８）を回転して取り出し部蓋（３０）を開けると、図１２で示すように、錠剤受け取り庫（３４）の中からポロリと受け盆（３２）の上に落ち着くのであり、これを「回転受け取り庫型」（Ｂ）と呼称する。
装着補助シート（４）は錠剤押し出しケース（２）の錠剤シート装着部（２２）において相向かい合うバインダー部（２４）間の幅サイズに相応した幅サイズで形成され、二つ折りに重ね合わされたシート間に錠剤シート（３）を挟んで使用される、図１３〜図１８で示すようなシート体である。重ね合わされた上下のシートには、一般に病院や薬店で渡される錠剤シート（３）において、マトリクス状に配置された封入房（５）の位置にピッタリ相応する形で、孔・即ち錠剤顕在孔（３５）が上下ピッタリ合う形で穿たれている。服用する錠剤（６）を錠剤シート（３）ごと装着補助シート（４）に挟むと、錠剤シート（３）面から盛り上がった封入房（５）が、装着補助シート（４）の錠剤顕在孔（３５）から顔を突き出した状態になる。この状態で装着補助シート（４）は錠剤シート装着部（２２）のバインダー部（２４）に装着されることになる。
付属的な用具たるプッシュ・ロッド（７）は、図１０で示すように、数ｃｍ長さの短い円筒体を胴部（３７）とし、胴部（３７）の一端側に頭部の如く膨らみを持って手（４２）の中に納め握り易い形状で把持部（３８）を設けてあり、他端側は胴部（３７）の中から数ｍｍ長さの押しだし軸（４０）が突き出て、その先端縁は錠剤（６）の径程の傘状を成し、この先端縁に圧接する形で、押し出し軸（４０）の外側を巻きつくようにコイル状の押しバネ（３６）が設置され、押しバネ（３６）の先端に押し出し軸（４０）が通り抜ける中心孔を有する約２０ｍｍ径の小円盤状の取り付け盤（３９）が直交的に接合されており、取り付け盤（３９）は押しバネ（３６）の伸縮と一体的に摺動するのであり、取り付け盤（３９）の押し出し軸（４０）先端側の盤面には、円周を縁取る形で低い土手状に押し当てガイドリブ（４１）が形設してある。使用に際して、図１１で示すように、装着補助シート（４）の錠剤顕在孔（３５）から盛り上がってシート面から上に突き出た錠剤（６）の封入房（５）がこの押し当てガイドリブ（４１）の内側に当たる様に、簡単確実に探り当てがい、把持部（３８）を手（４２）に持ち軽く力を加えて押しバネ（３６）を押し下げて、取り付け盤（３９）の縁が錠剤顕在孔（３５）の縁辺に押し止められ、取り付け盤（３９）の中央・即ち中心孔から押し出し軸（４０）の先端が突き出て封入房（５）越しに錠剤（６）を押し出すことになる。
尚、錠剤シート（３）は錠剤（６）のサイズと共に多種多様であり、一般的な錠剤シート（３）である短手方向即ち横並びの数２個で長手方向即ち縦並びの数５〜６個のものや、同様に横並びの数３個で縦並びの数６〜８個などのマトリクス状に配置された封入房（５）の位置にピッタリ相応する形で、装着補助シート（４）に錠剤顕在孔（３５）を穿つのだが、同じ錠剤数であっても錠剤（６）のサイズにより、錠剤顕在孔（３５）の大きさが異なるため、一つ一つに対応する煩雑をなくす為に、図１３〜図１８で示すように、装着補助シート（４）に穿つ錠剤顕在孔（３５）のサイズを大まかに大・中・小と分ける事と共に、錠剤押し出しケース（２）のサイズに関わる、錠剤シート（３）の錠剤（６）の横並びの数により装着補助シート（４）のサイズが決まる。図１３〜図１５で示すように、横並び２個で縦並び５〜６個の錠剤（６）の錠剤シート（３）を挟む大・中・小の錠剤顕在孔（３５）を設けた装着補助シート（４）を基本の型とし、図１３で示す装着補助シート（４）は横・短手２個並びで直径約１０ｍｍ・小サイズの錠剤顕在孔（３５）を設けたシート（４４）であり、同様にして、図１４は直径約１３ｍｍで中サイズの錠剤顕在孔（３５）を設けたシート（４５）であり、同様にして、図１５は直径約１６ｍｍで大サイズの錠剤顕在孔（３５）を設けたシート（４６）を示しており、錠剤顕在孔（３５）同士の間隔は大サイズ・中サイズ・小サイズともにみな同じく約５ｍｍで形成され、又、図１６〜図１８は横・短手３個並びの錠剤シートを挟む装着補助シート（４）を示すものであり、上記と同様にして図１６は直径約１０ｍｍ・小サイズの錠剤顕在孔（３５）を設けたシート（４７）・図１７は直径約１３ｍｍ・中サイズの錠剤顕在孔（３５）を設けたシート（４８）・図１８は直径約１６ｍｍ・大サイズの錠剤顕在孔（３５）を設けたシート（４９）を示すもので、錠剤顕在孔（３５）同士の間隔も上記と同様にみな約５ｍｍとなる。尚、装着補助シート（４）の長手方向・即ち縦並びの錠剤顕在孔（３５）の数は大体８〜９個ほどまでが使い勝手がよく、それ以上の場合はそれ相応に錠剤押し出しケース（２）のサイズも変えなければ成らない。同様にして、装着補助シート（４）の短手方向・即ち横並びの錠剤顕在孔（３５）の数が増えれば、錠剤押し出しケース（２）の短手方向の幅も長くなり、必然的に錠剤顕在孔（３５）同士の間に設ける保持軸（２５）も増える。例えば、図６で示すように、横並び２個用の錠剤押し出しケース（２）の装着補助シート（４）を保持する保持軸（２５）は一本であり、図９で示すように、横並び３個用の錠剤押し出しケース（２）の装着補助シート（４）を保持する保持軸（２５）は２本となる。従って、錠剤押し出しケース（２）を装着する、薬箱本体（１）のケース設置部（９）のサイズもそれに伴い変化する。尚、薬箱本体（１）もケース設置部を３つ、４つと増やすことや、サイズ違いの錠剤ケースを組み合わせるなどして設置することで、用途に応じて変化する。
又、カプセル形状の封入房（５）の錠剤シートはその形状に相応した錠剤顕在孔（３５）を設けた装着補助シート（４）を形成し使用する。
図１９に示した錠剤取り出しケースミニマム型（５０）は薬箱本体（１）に装着するものではないが、図２０で示すように、装着補助シート（４）に挟んだ錠剤シート（３）の横並びの錠剤（６）を一列ごとに取り出すもので、バインダー部（２４）と保持軸（２５）と押し出した錠剤（６）を収納する抽きだし形状の引き手部（５２）付き収納ボックス（５１）で構成を成す。
以上のように構成された一つの全体としての錠剤押し出しケース（２）付き薬箱本体（１）が通常は家庭の中で使用されるが、旅行等で家を空けて出かける様な時は、薬箱本体（１）のケース設置部（９）から錠剤押し出しケース（２）を外し、家を留守する期間に服用すべき種類・分量だけの薬、装着補助シート（４）、プッシュ・ロッド（７）だけを一まとめにしてバックの片隅に携帯すれば良いので、日帰りできない外出にも薬に関する心配は無用である。
本発明は、以上の様な構成であり、以下その具体的な使用方法について説明する。
家庭内に於いて、普通に使用する場合、例えば薬箱本体（１）の抽き出しの中には処方箋や診察券などを入れて、中の収納棚には処方された薬等を整理して収納しておくことで医療関連の物が一つにまとまる。取り外しても使用できる錠剤押し出しケース（２）の表示部（２０）の透明シートの下には、この薬は何時何錠飲むのか等の簡単な事柄を表記した紙などを挟んでおく。
錠剤シート（３）を装着補助シート（４）に挟み、その装着補助シート（４）を錠剤押し出しケース（２）の錠剤シート装着部（２２）のバインダー部（２４）に留め、薬箱本体（１）のケース設置部（９）に設けた鍔レール（１６）に、錠剤押し出しケース（２）の鍔溝レール（１７）を嵌め合わせて装着し使用に至る。
錠剤顕在孔（３５）から顔を突き出した封入房（５）を押して、中の錠剤（６）を錠剤押し出しケース（２）の錠剤取り出し部（２１）に落として送るのであるが、装着補助シート（４）に挟まれて下から保持軸（２５）に支えられている錠剤シート（３）は、上から押してもたわまず、圧力が分散せずに一点に集中する。そのため、指先で封入房（５）を押しても十分に力が伝わり、錠剤（６）を押し出すことはできるのだが、もっと効率良く、確実に錠剤（６）を押し出す器具であるプッシュ・ロッド（７）を使用する。
プッシュ・ロッド（７）の把持部（３８）を持ち、先端の取り付け盤（３９）を封入房（５）にあてがう、その時、取り付け盤（３９）の押し当てガイドリブ（４１）が上手い具合に封入房（５）を内側に捉えるので、簡単確実に探り当てがよく、そのまま把持部（３８）を押せば、取り付け盤（３９）の縁端部は錠剤顕在孔（３５）の縁端部と当たり止ると同時に、取り付け盤（３９）の中央から押し出し軸（４０）が突き出て、封入房（５）越しに錠剤（６）を押し出す。
ここまでの手順・即ち錠剤シート装着部（２２）から錠剤（６）を押し出すまでの段取りに変わりは無いのだが、図７で示すように、送り出しシート型の錠剤押し出しケース（Ａ）と図８で示すように、回転受け取り庫型の錠剤押し出しケース（Ｂ）とでは、錠剤（６）を取り出す過程において錠剤取り出し部（２１）の構造に違いがあるので、その説明をする。
送り出しシート型（Ａ）の場合、錠剤シート装着部（２２）から押し出された錠剤（６）は、錠剤押し出しケース（２）の内底面に沿って敷き置く形で設けた、一枚のシート体・即ち錠剤送り出しシート（２９）面上に落ちて転がり、錠剤取り出し部（２１）の回転軸胴部（２７）上のシート接着固定部上に落ち着くが、この時、回転軸胴部（２７）と錠剤送り出しシート（３３）との結合部の反対側に一端縁を固定的に結合した取り出し部蓋（３０）は閉じた状態であり、この取り出し部蓋（３０）に押し込められるようにして内側へ湾曲した錠剤送り出しシート（２９）の末端部は錠剤取り出し部（２１）の内で落ち着いた錠剤（６）を覆うような形を成し、錠剤押し出しケース（２）の側面板（４３）壁に回転軸胴部（２７）と一体的に設けられたレバー（２８）を回すと、取り出し部蓋（３０）が開きながら、回転軸胴部（２７）の回転に伴って錠剤送り出しシート（２９）の末端部は開放されてせりだし、先端付近が回転軸胴部（２７）の上に乗り上げるようにせり上がり、錠剤（６）は手（４２）の平に載せて差し出されたように姿を現すが、まれにシート上から落ちることもある、そのような時も取り出し部蓋（３０）の内側に設けた受け盆（３２）の上にポロリと落ち着く。その時、受け盆（３２）の縁沿いに設けた高さ数ｍｍの立ち上がり部即ち外周リブ（３１）により、錠剤（６）は受け盆（３２）から落ちることはない。
回転受け取り庫型（Ｂ）の場合、錠剤シート装着部（２２）から押し出された錠剤（６）は、錠剤押し出しケース（２）の内底面に沿って転がり落ち、送り出し斜面部（３３）を介して、錠剤取り出し部（２１）の錠剤受け取り庫（３４）の中に収納される。この時、取り出し部蓋（３０）は閉められた状態であるが、錠剤押し出しケース（２）の側面板（４３）壁に錠剤受け取り庫（３４）と一体的に設けられたレバー（２８）を回すと、錠剤受け取り庫（３４）が回転するとともに取り出し部蓋（３０）が開き、錠剤受け取り庫（３４）から錠剤（６）が落ちて取り出し部蓋（３０）の内側に設けた受け盆（３２）の上にポロリと落ち着く。
以上のようにして錠剤（６）を取り出した後の装着補助シート（４）下面の錠剤顕在孔（３５）即ち・錠剤（６）が押し出された側の錠剤顕在孔（３５）縁面は、錠剤シート（３）の破れ片が荒くれたようにはみ出しているのだが、バインダー部（２４）と保持軸（２５）を取り付け枠（２３）より数ｍｍ高く形設したことで、錠剤押し出しケース（２）から装着補助シート（４）を引き出す際、破れ片がどこにも引っかかることなくスムーズに引き出すことができる。
錠剤押し出しケースミニマム型（５０）は、図１９で示すように、錠剤押し出しケース（２）を錠剤（６）の横並び（短手方向）一列分だけを切り取ったような形を成し、錠剤（６）を取り出すための錠剤取り出し部（２１）が引き手部（５２）付き収納ボックス（５１）に成り、図２０で示すように、バインダー部（２４）に装着した装着補助シート（４）の錠剤顕在孔（３５）の横一列分を、その都度ずらしながら収納ボックス（５１）真上の位置に錠剤（６）を置き、上から封入房（５）を押して収納ボックス（５１）内に落とし、引き手部（５２）を引いて錠剤（６）を取り出す。
このようにして、使用するミニマム型（５０）は手（４２）の平にも入る位小さくて手軽である。
【符号の説明】
【０００８】Ａ  送り出しシート型      Ｂ  回転受け取り庫型
１  薬箱本体、  ２  錠剤押し出しケース、  ３  錠剤シート
４  装着補助シート、  ５  封入房、  ６  錠剤、  ７  プッシュ・ロッド
８  抽き出し部、  ９  ケース設置部、  １０  引き戸溝
１１  薄細鉄板、  １２  縦蓋、  １３  磁石片、  １４  摘み部
１５  収納段棚、  １６  鍔レール、  １７  鍔溝レール
１８  ストッパー枠、  １９  背板、  ２０  表示部
２１  錠剤取り出し部、  ２２  錠剤シート装着部、  ２３  取り付け枠
２４  バインダー部、  ２５  保持軸、  ２６  シート押さえ軸
２７  回転軸胴部、  ２８  レバー、  ２９  錠剤送り出しシート
３０  取り出し部蓋、  ３１  外周リブ、  ３２  受け盆
３３  送り出し斜面部、  ３４  錠剤受け取り庫、３５  錠剤顕在孔
３６  押しバネ、  ３７  胴部、  ３８  把持部、  ３９  取り付け盤
４０  押し出し軸、  ４１  押し当てガイドリブ、  ４２  手
４３  側面板
４４  横・短手２個並び錠剤顕在孔小サイズの装着補助シート
４５  横・短手２個並び錠剤顕在孔中サイズの装着補助シート
４６  横・短手２個並び錠剤顕在孔大サイズの装着補助シート
４７  横・短手３個並び錠剤顕在孔小サイズの装着補助シート
４８  横・短手３個並び錠剤顕在孔中サイズの装着補助シート
４９  横・短手３個並び錠剤顕在孔大サイズの装着補助シート
５０  錠剤押し出しケースミニマム型
５１  収納ボックス
５２  引き手部
【図１】
2017170098.tif 000003
【図２】
2017170098.tif 000004
【図３】
2017170098.tif 000005
【図４】
2017170098.tif 000006
【図５】
2017170098.tif 000007
【図６】
2017170098.tif 000008
【図７】
2017170098.tif 000009
【図８】
2017170098.tif 000010
【図９】
2017170098.tif 000011
【図１０】
2017170098.tif 000012
【図１１】
2017170098.tif 000013
【図１２】
2017170098.tif 000014
【図１３】
2017170098.tif 000015
【図１４】
2017170098.tif 000016
【図１５】
2017170098.tif 000017
【図１６】
2017170098.tif 000018
【図１７】
2017170098.tif 000019
【図１８】
2017170098.tif 000020
【図１９】
2017170098.tif 000021
【図２０】
2017170098.tif 000022